(57)【要約】ＶＣモードを柔軟に設定・変更可能とし、かつ障害が発生した場合でもＶＣモードを再設定して通信を継続する。送信側ＶＣモード設定部（１１−１）は、上位設定またはパス障害情報にもとづいて、送信側のＶＣモードを設定する。送信側信号制御部（１２−１）は、ＶＣモードで信号を制御する。パス監視設定部（１３−１）は、特定パターンを生成する。第１の信号送受信部（１４ａ）は、ＶＣモード及び特定パターンを対向へ送信し、かつ対向装置からパス障害情報を受信する。第２の信号送受信部（１４ｂ）は、ＶＣモードと特定パターンを検出し、パス障害情報を対向へ送信する。受信側ＶＣモード設定部（１１−２）は、受信側のＶＣモードを設定する。受信側信号制御部（１２〜２）は、ＶＣモードで信号を制御する。パス監視判定部（１３−２）は、特定パターンにもとづいて、パス導通の判定結果を示すパス障害情報を生成する。
2004030250.tif 000002
【特許請求の範囲】
【請求項１】
帯域幅を仮想的な信号単位の集合として取り扱うＶＣを対象にした伝送制御を行う伝送システムにおいて、
上位設定またはパス障害情報にもとづいて、自装置のＶＣモードを設定する送信側ＶＣモード設定部と、ＶＣモードで自装置の信号を制御する送信側信号制御部と、パス導通を監視するための特定パターンを生成するパス監視設定部と、設定されたＶＣモード及び特定パターンを信号に挿入して対向へ送信し、かつ対向装置からパス障害情報を受信する第１の信号送受信部と、から構成されるＶＣ送信装置と、
受信信号からＶＣモードと特定パターンを検出し、生成されたパス障害情報を信号に挿入して対向へ送信する第２の信号送受信部と、検出されたＶＣモードにもとづいて、自装置のＶＣモードを設定する受信側ＶＣモード設定部と、ＶＣモードで自装置の信号を制御する受信側信号制御部と、受信された特定パターンにもとづいて、パス導通が正常か否かを判定し、判定結果を示すパス障害情報を生成するパス監視判定部と、から構成されるＶＣ受信装置と、
を有することを特徴とする伝送システム。
【請求項２】
前記第１の信号送受信部は、パスオーバヘッドのＨ４バイトにＶＣモードを挿入することを特徴とする請求の範囲第１項記載の伝送システム。
【請求項３】
前記第１の信号送受信部は、パスオーバヘッドのＣ２バイトに特定パターンを挿入することを特徴とする請求の範囲第１項記載の伝送システム。
【請求項４】
前記パス監視判定部は、特定パターンの判定時にエラーがあった場合、あらかじめ設定した連続フレーム数を超えてエラーが続いたときに、実質的なパス障害とみなすことを特徴とする請求の範囲第１項記載の伝送システム。
【請求項５】
前記第２の信号送受信部は、パスオーバヘッドのＨ４バイトにパス障害情報を挿入することを特徴とする請求の範囲第１項記載の伝送システム。
【請求項６】
パス障害情報によりパス障害が認識された場合、前記送信側ＶＣモード設定部は、障害チャネルを除いた、あらたなＶＣモードの再設定を行い、前記受信側ＶＣモード設定部は、再設定されたＶＣモードを検出することで、パス障害が発生した場合にも通信を継続することを特徴とする請求の範囲第１項記載の伝送システム。
【請求項７】
帯域幅を仮想的な信号単位の集合として取り扱うＶＣを対象にした伝送制御を行う伝送装置において、
ＶＣモードを送信し、ＶＣモードの設定側として動作する場合は、上位設定またはパス障害情報にもとづいてＶＣモードを設定し、ＶＣモードを受信して、ＶＣモードの被設定側として動作する場合は、受信信号から検出されたＶＣモードにもとづいてＶＣモードを設定するＶＣモード設定部と、
前記ＶＣモード設定部で設定されたＶＣモードで信号を制御する信号制御部と、
パス導通を監視するための特定パターンを生成するパス監視設定部と、
ＶＣモード、特定パターン、パス障害情報を信号に挿入して対向へ送信する信号送信部と、
受信信号からＶＣモード、特定パターン、パス障害情報を検出する信号受信部と、
受信された特定パターンにもとづいて、パス導通が正常か否かを判定し、判定結果を示すパス障害情報を生成するパス監視判定部と、
を有することを特徴とする伝送装置。
【請求項８】
前記信号送信部は、パスオーバヘッドのＨ４バイトにＶＣモードを挿入することを特徴とする請求の範囲第７項記載の伝送装置。
【請求項９】
前記信号送信部は、パスオーバヘッドのＣ２バイトに特定パターンを挿入することを特徴とする請求の範囲第７項記載の伝送装置。
【請求項１０】
前記パス監視判定部は、特定パターンの判定時にエラーがあった場合、あらかじめ設定した連続フレーム数を超えてエラーが続いたときに、実質的なパス障害とみなすことを特徴とする請求の範囲第７項記載の伝送装置。
【請求項１１】
前記信号受信部は、パスオーバヘッドのＨ４バイトにパス障害情報を挿入することを特徴とする請求の範囲第７項記載の伝送装置。
【請求項１２】
パス障害情報によりパス障害が認識された場合、ＶＣモード設定側の前記ＶＣモード設定部は、障害チャネルを除いた、あらたなＶＣモードの再設定を行い、ＶＣモード被設定側の前記ＶＣモード設定部は、再設定されたＶＣモードを検出することで、パス障害が発生した場合にも通信を継続することを特徴とする請求の範囲第７項記載の伝送装置。
【請求項１３】
ＳＯＮＥＴ／ＳＤＨネットワークとＬＡＮとを結び、帯域幅を仮想的な信号単位の集合として取り扱うＶＣを対象にした伝送制御を行う伝送ノードにおいて、
ＶＣモードを送信し、ＶＣモードの設定側として動作する場合は、上位設定またはパス障害情報にもとづいてＶＣモードを設定し、ＶＣモードを受信して、ＶＣモードの被設定側として動作する場合は、受信信号から検出されたＶＣモードにもとづいてＶＣモードを設定するＶＣモード設定部と、前記ＶＣモード設定部で設定されたＶＣモードで信号を制御する信号制御部と、パス導通を監視するための特定パターンを生成するパス監視設定部と、ＶＣモード、特定パターン、パス障害情報を信号に挿入して対向へ送信する信号送信部と、受信信号からＶＣモード、特定パターン、パス障害情報を検出する信号受信部と、受信された特定パターンにもとづいて、パス導通が正常か否かを判定し、判定結果を示すパス障害情報を生成するパス監視判定部と、ＳＯＮＥＴ／ＳＤＨネットワーク側のスイッチング処理とのインタフェース制御を行うスイッチインタフェース部と、加入者側のＬＡＮとのインタフェース制御を行うＬＡＮインタフェース部と、から構成されるＬＡＮインタフェースユニットと、
ＳＯＮＥＴ／ＳＤＨ信号のスイッチング処理を行うスイッチ部と、
ＳＯＮＥＴ／ＳＤＨネットワークとのインタフェース制御を行うネットワークインタフェース部と、
を有することを特徴とする伝送ノード。
【請求項１４】
帯域幅を仮想的な信号単位の集合として取り扱うＶＣを対象にした伝送制御を行うＬＡＮインタフェースユニットにおいて、
ＶＣモードを送信し、ＶＣモードの設定側として動作する場合は、上位設定またはパス障害情報にもとづいてＶＣモードを設定し、ＶＣモードを受信して、ＶＣモードの被設定側として動作する場合は、受信信号から検出されたＶＣモードにもとづいてＶＣモードを設定するＶＣモード設定部と、
前記ＶＣモード設定部で設定されたＶＣモードで信号を制御する信号制御部と、
パス導通を監視するための特定パターンを生成するパス監視設定部と、
ＶＣモード、特定パターン、パス障害情報を信号に挿入して対向へ送信する信号送信部と、
受信信号からＶＣモード、特定パターン、パス障害情報を検出する信号受信部と、
受信された特定パターンにもとづいて、パス導通が正常か否かを判定し、判定結果を示すパス障害情報を生成するパス監視判定部と、
ＳＯＮＥＴ／ＳＤＨネットワーク側のスイッチング処理とのインタフェース制御を行うスイッチインタフェース部と、
加入者側のＬＡＮとのインタフェース制御を行うＬＡＮインタフェース部と、
を有することを特徴とするＬＡＮインタフェースユニット。
【請求項１５】
帯域幅を仮想的な信号単位の集合として取り扱うＶＣを対象にした伝送制御を行うＶＣ伝送方法において、
パス送信側が現在のＶＣモードをパス受信側へ送信し、
パス受信側は、受信したＶＣモードを設定し、
パス受信側が現在のＶＣモードのパスが正常に導通しているか否かを監視して監視結果をパス送信側に通知し、
パス送信側は、監視結果にもとづいて、障害が発生しているチャネルがあれば障害チャネルを除外したＶＣモードに変更してパス受信側に通知し、変更後のＶＣモードで通信を継続することを特徴とするＶＣ伝送方法。
【発明の詳細な説明】
【技術分野】  本発明は伝送システムに関し、特に帯域幅を仮想的な信号単位の集合として取り扱うＶＣ（Ｖｉｒｔｕａｌ  Ｃｏｎｃａｔｅｎａｔｉｏｎ）を対象にした伝送制御を行う伝送システムに関する。
【背景技術】  多重化技術の中核となるＳＯＮＥＴ（Ｓｙｎｃｈｒｏｎｏｕｓ  Ｏｐｔｉｃａｌ  Ｎｅｔｗｏｒｋ）／ＳＤＨ（Ｓｙｎｃｈｒｏｎｏｕｓ  Ｄｉｇｉｔａｌ  Ｈｉｅｒａｒｃｈｙ）は、各種の通信サービスを有効に多重化するためのインタフェースを規定するものであり、標準化されて開発が進んでいる。
ＳＯＮＥＴ網におけるパスの単位は、通常、ＳＴＳ（Ｓｙｎｃｈｒｏｎｏｕｓ  Ｔｒａｎｓｐｏｒｔ  Ｓｉｇｎａｌ）−１、ＳＴＳ−３ｃ、ＳＴＳ−１２ｃ、ＳＴＳ−４８ｃ等であり、それぞれの帯域は５１．８４Ｍｂｐｓ、１５５．５２Ｍｂｐｓ、６２２．０８Ｍｂｐｓ、２．４８８３２Ｇｂｐｓである。
また、ＳＴＳ−３ｃ、ＳＴＳ−１２ｃ等の“ｃ”はコンカチネーション（Ｃｏｎｃａｔｅｎａｔｉｏｎ）を示しており、ＳＴＳ−３ｃ、ＳＴＳ−１２ｃはそれぞれＳＴＳ−１を基本として、３本、１２本のパスを束ねた容量を持つものである。なお、ＳＯＮＥＴの規格上コンカチネーションの種類は、３／１２／４８／１９２が定められている。
ここで、ＳＯＮＥＴ網内に設置された伝送ノードがイーサネット（Ｅｔｈｅｒｎｅｔ：登録商標）を収容する場合を考える。イーサネットの物理的な通信帯域は、１００Ｍｂｐｓ、１Ｇｂｐｓ等の種類があり、最大伝送時にはこれらの値の通信帯域となる。ところが、実質的な通信帯域は、ユーザが利用する帯域次第であって、イーサネットの信号をＳＯＮＥＴ網で伝送する場合、ＳＯＮＥＴ網内に割り当てるパスの帯域には必ずしも最大帯域を割り当てる必要はない。
すなわち、１００Ｍｂｐｓ対応のイーサネットユニットを用いて、５０Ｍｂｐｓだけの通信を行うならば、ＳＴＳ−１のパスを設定すればよい。また、１Ｇｂｐｓのイーサネットユニットを用いて、１００Ｍｂｐｓだけの通信を行うならば、ＳＴＳ−３ｃのパスを設定すればよい。
ここで、１Ｇｂｐｓのイーサネットユニットを用いて、２００Ｍｂｐｓの通信を行う際に、ＳＴＳ−１２ｃのパスを使用する場合、ＳＴＳ−１２ｃは、６２２．０８Ｍｂｐｓの帯域を持っているため、約４００Ｍｂｐｓ分の帯域が無駄になってしまう。このような無駄をなくすために、必要とする帯域になるべく近い帯域のパスを確保する技術として、近年、バーチャルコンカチネーション（Ｖｉｒｔｕａｌ  Ｃｏｎｃａｔｅｎａｔｉｏｎ：ＶＣ）と呼ばれる技術が注目されている。
ＶＣは、伝送帯域を有効に使うために、ＳＴＳ−１やＳＴＳ−３を任意の数で束ねて用いることで、複数のチャネルを仮想的に１つに見なして帯域幅を可変できる技術である。
上記の場合、２００Ｍｂｐｓの通信に対しては、ＳＴＳ−１を４本連結して、２０７．３６Ｍｂｐｓの帯域を持つＳＴＳ−１−４ｖ（ＳＴＳ−１−４ｖの“ｖ”はＶＣであることを示している）のパスを生成して通信を行うことで、ＳＯＮＥＴ網内の帯域の無駄をなくすことができる。
ＳＯＮＥＴ／ＳＤＨの伝送技術は、研究開発が盛んに行われており、従来技術として、中継装置内で受信信号のオーバーヘッドからコンカチ判定を行って、あらたなコンカチ設定を行うシステムなどが提案されている。例えば、特開平５−３３６０６６号公報（段落番号〔００２０〕〜〔００２３〕，第１図）参照。
ＶＣを利用した従来のパス設定では、パスの終端ポイント間にＳＯＮＥＴパスを設定することに加え、両方のパス終端部にＶＣパスであることを認識させる設定が必要であった。すなわち、ＶＣを設定する場合は、人手により、送信側と受信側の装置に逐一設定しなければならなかった。したがって、ＶＣの動作モードを簡略に設定することができず、柔軟にＶＣの動作モードの変更を行うことができないといった問題があった。
また、ＶＣは複数のＳＴＳパスにより構成されて通信を実現するが、ＶＣを構成する一部のパスが異常（障害発生）になった場合、従来では通信不能となってしまうので、信頼性が低いといった問題があった。
【発明の開示】
本発明はこのような点に鑑みてなされたものであり、ＶＣの動作モードを柔軟に設定・変更可能とし、かつ障害が発生した場合でもＶＣモードを再設定して通信を継続することで、通信の品質及び信頼性の向上を図った伝送システムを提供することを目的とする。
本発明では上記課題を解決するために、図１に示すような、帯域幅を仮想的な信号単位の集合として取り扱うＶＣを対象にした伝送制御を行う伝送システム１において、上位設定またはパス障害情報にもとづいて、自装置のＶＣモードを設定する送信側ＶＣモード設定部１１−１と、ＶＣモードで自装置の信号を制御する送信側信号制御部１２−１と、パス導通を監視するための特定パターンを生成するパス監視設定部１３−１と、設定されたＶＣモード及び特定パターンを信号に挿入して対向へ送信し、かつ対向装置からパス障害情報を受信する第１の信号送受信部１４ａと、から構成されるＶＣ送信装置１０−１と、受信信号からＶＣモードと特定パターンを検出し、生成されたパス障害情報を信号に挿入して対向へ送信する第２の信号送受信部１４ｂと、検出されたＶＣモードにもとづいて、自装置のＶＣモードを設定する受信側ＶＣモード設定部１１−２と、ＶＣモードで自装置の信号を制御する受信側信号制御部１２−２と、受信された特定パターンにもとづいて、パス導通が正常か否かを判定し、判定結果を示すパス障害情報を生成するパス監視判定部１３−２と、から構成されるＶＣ受信装置１０−２と、を有することを特徴とする伝送システム１が提供される。
ここで、送信側ＶＣモード設定部１１−１は、上位設定またはパス障害情報にもとづいて、自装置のＶＣモードを設定する。送信側信号制御部１２−１は、ＶＣモードで自装置の信号を制御する。パス監視設定部１３−１は、パス導通を監視するための特定パターンを生成する。第１の信号送受信部１４ａは、設定されたＶＣモード及び特定パターンを信号に挿入して対向へ送信し、かつ対向装置からパス障害情報を受信する。第２の信号送受信部１４ｂは、受信信号からＶＣモードと特定パターンを検出し、生成されたパス障害情報を信号に挿入して対向へ送信する。受信側ＶＣモード設定部１１−２は、検出されたＶＣモードにもとづいて、自装置のＶＣモードを設定する。受信側信号制御部１２−２は、ＶＣモードで自装置の信号を制御する。パス監視判定部１３−２は、受信された特定パターンにもとづいて、パス導通が正常か否かを判定し、判定結果を示すパス障害情報を生成する。
本発明の上記および他の目的、特徴および利点は本発明の例として好ましい実施の形態を表す添付の図面と関連した以下の説明により明らかになるであろう。
【図面の簡単な説明】  図１は、本発明の伝送システムの原理図である。
図２は、伝送システムの全体構成を示す図である。
図３は、イーサネットｉｎｆユニットの構成を示す図である。
図４は、パス障害がない場合のＶＣモードを装置間で設定する場合の動作を示すシーケンス図である。
図５は、パス障害がない場合のＶＣモードを装置間で設定する場合の動作を示すシーケンス図である。
図６は、パス障害が発生した場合のＶＣモードを装置間で再設定する場合の動作を示すシーケンス図である。
図７は、パス障害が発生した場合のＶＣモードを装置間で再設定する場合の動作を示すシーケンス図である。
図８は、パス障害が発生した場合のＶＣモードを装置間で再設定する場合の動作を示すシーケンス図である。
図９は、パス障害が発生している様子を示す図である。
図１０は、ＳＴＳ−１のフォーマットを示す図である。
図１１は、ＳＴＳ−３ｃのフォーマットを示す図である。
図１２は、ＰＯＨの構成を示す図である。
図１３は、Ｈ４バイトのコーディングを示す図である。
図１４は、パス伝送が正常に行われている場合のＶＣモード及びパス障害情報の流れを示す概念図である。
図１５は、パス伝送に障害が発生し、変更後のＶＣモードを送信している場合のＶＣモード及びパス障害情報の流れを示す概念図である。
【発明を実施するための最良の形態】  以下、本発明の実施の形態を図面を参照して説明する。図１は本発明の伝送システムの原理図である。伝送システム１は、ＶＣ送信装置１０−１とＶＣ受信装置１０−２を有し、ネットワーク２を介して、帯域幅を仮想的な信号単位（ＳＴＳ−１、ＳＴＳ−３ｃなど）の集合として取り扱うＶＣ（バーチャルコンカチネーション）を対象にした伝送制御を行うシステムである。なお、ＶＣ送信装置１０−１とＶＣ受信装置１０−２の本発明の機能は、実際には１台の同一の伝送装置内に含まれるものである。
ＶＣ送信装置１０−１は、送信側ＶＣモード設定部１１−１、送信側信号制御部１２−１、パス監視設定部１３−１、第１の信号送受信部１４ａを含む。
送信側ＶＣモード設定部１１−１は、上位設定またはパス障害情報にもとづいて、自装置（ＶＣ送信装置１０−１）のＶＣモードを設定する。ＶＣモードとは例えば、データをＳＴＳ−１−４ｖで伝送するのか、ＳＴＳ−１−２４ｖで伝送するのかというように、どのようなＶＣで動作させるのかを示すＶＣの動作モード情報のことである。
送信側信号制御部１２−１は、ＶＣモードで自装置（ＶＣ送信装置１０−１）の信号を制御する。例えば、ＶＣモードがＳＴＳ−１−４ｖと設定されたならば２０７．３６Ｍｂｐｓの信号の伝送制御を行う。
パス監視設定部１３−１は、パス導通を監視するための特定パターンを生成する。なお、特定パターンは、ＶＣパスを構成するチャネルの数だけある。例えば、ＳＴＳ−１−４ｖなら、４チャネルあるので、特定パターンも各チャネルに対応して４つ存在する。
第１の信号送受信部１４ａは、設定されたＶＣモード及び特定パターンを信号に挿入して対向へ送信する。また対向装置からパス障害情報を受信する。
ＶＣ受信装置１０−２は、第２の信号送受信部１４ｂ、受信側ＶＣモード設定部１１−２、受信側信号制御部１２−２、パス監視判定部１３−２を含む。
第２の信号送受信部１４ｂは、受信信号からＶＣモードと特定パターンを検出する。また、パス監視判定部１３−２で生成されたパス障害情報を信号に挿入して対向へ送信する。
受信側ＶＣモード設定部１１−２は、検出されたＶＣモードにもとづいて、自装置（ＶＣ受信装置１０−２）のＶＣモードを設定する。受信側信号制御部１２−２は、ＶＣモードで自装置（ＶＣ受信装置１０−２）の信号を制御する。例えば、検出されたＶＣモードがＳＴＳ−１−４ｖであるならば、２０７．３６Ｍｂｐｓの信号の伝送制御を行う。
パス監視判定部１３−２は、受信された特定パターンにもとづいて、パス導通が正常か否かを判定し、判定結果を示すパス障害情報を生成する。なお、パス監視判定部１３−２は、特定パターンの判定時にエラーがあった場合、あらかじめ設定した連続フレーム数を超えてエラーが続いたときに、実質的なパス障害とみなすようにする。
ここで、パスが正常に導通している場合の制御の流れについて説明する。ＶＣ送信装置１０−１の送信側ＶＣモード設定部１１−１は、ＶＣモードを設定する（例えば、ＳＴＳ−１−４ｖとする）。パス監視設定部１３−１では、ＳＴＳ−１−４ｖのパス監視を行うための特定パターンを生成する。そして、第１の信号送受信部１４ａは、ＶＣモード及び特定パターンを送出する。
パス監視判定部１３−２は、受信された特定パターンが正常であることを認識する。また、パスが正常である旨のパス障害情報を生成し、第２の信号送受信部１４ｂはそのパス障害情報を送出する。そして、受信側ＶＣモード設定１１−２は、ＶＣ送信装置１０−１から送信されたＶＣモードを検出し、ＶＣ受信装置１０−２では、そのＶＣモードにもとづき信号を処理する。
このように、ＶＣモードを設定したＶＣ送信装置１０−１が、ＶＣモードの情報を送信し、ＶＣ受信装置１０−２がそのＶＣモードを検出することで、送信側で設定されたＶＣモードに受信側が追従して、送信側のＶＣモードが受信側でも自動的に設定することが可能になる。
次にパスに障害が発生している場合の制御の流れについて説明する。ＶＣ送信装置１０−１の送信側ＶＣモード設定部１１−１は、ＶＣモードを設定する（例えば、ＳＴＳ−１−４ｖとする）。パス監視設定部１３−１では、ＳＴＳ−１−４ｖのパス監視を行うための特定パターンを生成する。そして、第１の信号送受信部１４ａは、ＶＣモード及び特定パターンを送出する。
パス監視判定部１３−２は、特定パターンを受信する。この場合、受信した特定パターンのうち、ｃｈ４に対応する特定パターンに異常があるものとする（送信時のパターン（ビット値）と異なっている）。パス監視判定部１３−２は、ｃｈ４に障害がある旨のパス障害情報を生成する。
第２の信号送受信部１４ｂは、そのパス障害情報を送出し、送信側ＶＣモード設定部１１−１は、受信されたパス障害情報にもとづき、ＳＴＳ−１−４ｖからＳＴＳ−１−３ｖにＶＣモードを変更する。また、変更されたＶＣモードは、第１の信号送受信部１４ａによりＶＣ受信装置１０−２へ通知される。
このように、パスに障害が発生した場合でも、パス障害情報によりどのチャネルに異常があるのかが通知され、障害チャネルを除いた、あらたなＶＣモードがＶＣ送信装置１０−１とＶＣ受信装置１０−２で再設定されるので（送信側で再設定されたＶＣモードに受信側が追従する）、パス障害発生時にも通信を継続することが可能になる（ただし、この例では、伝送容量は２０７．３６Ｍｂ／ｓから１５５．５２Ｍｂ／ｓになる）。
次に加入者側のネットワーク（ＬＡＮ）をイーサネット、基幹網をＳＯＮＥＴネットワークとして、イーサネットとＳＯＮＥＴネットワークを結ぶ伝送ノードに本発明を適用した場合の構成及び動作について以降詳しく説明する。
図２は伝送システムの全体構成を示す図である。伝送システム１ａは、ＳＯＮＥＴネットワーク２１のパス終端ポイントに、伝送ノード１００、１００ａ、１００ｂが接続する。伝送ノード１００は、イーサネットｉｎｆ（インタフェース）ユニット１０１、ＳＴＳスイッチ部１０２、ＳＯＮＥＴｉｎｆユニット１０３、ＣＰＵ部１０４から構成される。
イーサネットｉｎｆユニット１０１は、本発明の伝送装置の機能を含み、イーサネット２２対応のパケットをＳＯＮＥＴネットワーク２１対応の時分割のＳＴＳ信号に変換したり、またはＳＴＳ信号をパケットに変換したりする。
ＳＴＳスイッチ部１０２は、ＳＴＳ信号のスイッチング（クロスコネクト：回線の収束／分離処理）を行う。ＳＯＮＥＴｉｎｆユニット１０３は、ＳＯＮＥＴネットワーク２１とのインタフェース制御を行う。ＣＰＵ部１０４は、ノード内部の各構成要素に対する全体制御を行う。
図３はイーサネットｉｎｆユニット１０１の構成を示す図である。イーサネットｉｎｆユニット１０１は、イーサネットｉｎｆ部１０１ａ、伝送装置１０、スイッチｉｎｆ部１０１ｂから構成される。なお、図中の太実線矢印は主信号を表し、細実線矢印は制御信号を表している。
イーサネットｉｎｆ部１０１ａは、イーサネットとのインタフェース制御を行う。例えば、レイヤ２におけるＰＰＰ（Ｐｏｉｎｔ−Ｐｏｉｎｔ−Ｐｒｏｔｏｃｏｌ）プロトコル処理やＭＡＣ（Ｍｅｄｉａ  Ａｃｃｅｓｓ  Ｃｏｎｔｒｏｌ）処理などを行う。スイッチｉｎｆ部１０１ｂは、ＳＴＳスイッチ部１０２とのインタフェース制御を行う。
伝送装置１０は、ＶＣモード設定部１１、信号制御部１２、パス監視設定部１３−１、パス監視判定部１３−２、ＰＯＨ（Ｐａｔｈ  Ｏｖｅｒ  Ｈｅａｄ：パスオーバヘッド）挿入部１４−１、ＰＯＨ抽出部１４−２、ソフトインタフェース部１５から構成される。
ＶＣモード設定部１１（図１の送信側ＶＣモード設定部１１−１、受信側ＶＣモード設定部１１−２に該当）は、ＶＣモードを送信し、ＶＣモードの設定側として動作する場合は、上位設定またはパス障害情報にもとづいてＶＣモードを設定する。また、ＶＣモードを受信して、ＶＣモードの被設定側として動作する場合は、受信信号から検出されたＶＣモードにもとづいてＶＣモードを設定する。
信号制御部１２（図１の送信側信号制御部１２−１、受信側信号制御部１２−２に該当）は、ＶＣモード設定部１１で設定されたＶＣモードで信号（ＳＴＳ信号）を制御する。制御内容としては、ＳＴＳ信号のペイロードの処理（例えば、ＳＴＳ−１−４ｖならば、４つのパスの伝送ルートは必ずしもすべて同一のルートではないので、ペイロードの先頭を合わせるための時間調整処理などを行ったりする）やＶＣのフレームナンバ処理などを行う。
パス監視設定部１３−１とパス監視判定部１３−２は、図１で上述したので説明は省略する。信号送信部であるＰＯＨ挿入部１４−１は、ＶＣモード、特定パターン、パス障害情報をＳＴＳ信号のＰＯＨに挿入して対向へ送信する。ＰＯＨ抽出部１４−２は、受信したＳＴＳ信号からＰＯＨを抽出し、ＶＣモード、特定パターン、パス障害情報を検出する。
なお、伝送装置１０が図１のＶＣ送信装置１０−１として動作する場合は、ＰＯＨ挿入部１４−１及びＰＯＨ抽出部１４−２は、第１の信号送受信部１４ａに該当し、伝送装置１０が図１のＶＣ受信装置１０−２として動作する場合は、ＰＯＨ挿入部１４−１及びＰＯＨ抽出部１４−２は、第２の信号送受信部１４ｂに該当する。
ソフトインタフェース部１５は、ＣＰＵ部１０４（図２）とのインタフェース制御を行い、伝送装置１０内の各構成要素からの状態通知を受信して、ＣＰＵ部１０４へ送信したり、ＣＰＵ部１０４からの指示を伝送装置１０内の各構成要素に設定したりする。
次に伝送装置１０の動作について説明する。図４、図５はパス障害がない場合のＶＣモードを装置間で設定する場合の動作を示すシーケンス図である。図４のステップＳ１ｓ〜ステップＳ６ｓは、伝送装置１０をＶＣ設定側（送信側）とした場合の動作シーケンスであり、図５のステップＳ１１ｒ〜ステップＳ１４ｒは、伝送装置１０をＶＣ被設定側（受信側）とした場合の動作シーケンスである。また、ＶＣモードの設定トリガを上位設定としている。
なお、“ＶＣ設定側”とは、先にＶＣを設定する側の装置のことであり、“ＶＣ被設定側”とは、先にＶＣを設定した装置に追従して、後にＶＣを設定する側の装置のことである。
〔Ｓ１ｓ〕ソフトインタフェース部１５は、ＣＰＵ部１０４からの指示を受けて、ＶＣモード設定部１１へＶＣモード（ここでは、ＳＴＳ−１−２４ｖとする）の設定指示を送信する。
〔Ｓ２ｓ〕ＶＣモード設定部１１は、ＳＴＳ−１−２４ｖを内部の動作モードとして設定し、信号制御部１２及びＰＯＨ挿入部１４−１へ設定内容を通知する。
〔Ｓ３ｓ〕信号制御部１２は、ＳＴＳ−１−２４ｖ（およそ１．２Ｇｂ／ｓ）の伝送制御を行う。
〔Ｓ４ｓ〕パス監視設定部１３−１は、特定パターンをＰＯＨ挿入部１４−１へ送信する。特定パターンとしては、例えば、２４チャネルすべてをヘキサで“ＡＡ”と設定しておく。
〔Ｓ５ｓ〕パス監視判定部１３−２は、パス障害情報をＰＯＨ挿入部１４−１へ送信する。ここでの状態では、パスに障害は発生していないので、パス障害情報の内容は、２４チャネル分すべてが正常である旨を示す情報になっている。
〔Ｓ６ｓ〕ＰＯＨ挿入部１４−１は、設定されたＶＣモードと、パス監視判定部１３−２からのパス障害情報とをＰＯＨのＨ４バイトに挿入し、パス監視設定部１３−１からの特定パターンをＰＯＨのＣ２バイトに挿入して、ＳＴＳ信号を対向へ送信する。なお、信号フォーマットの詳細について後述する。
〔Ｓ１１ｒ〕図５に対し、ＰＯＨ抽出部１４−２は、ＳＴＳ信号を受信してＰＯＨを抽出し、ＶＣモード、特定パターン、パス障害情報を検出して、それぞれの送信先へ出力する。
〔Ｓ１２ｒ〕パス監視判定部１３−２は、パス障害は発生していないので、特定パターンから“ＡＡ”を判断して、パス伝送が正常であることを認識する。
〔Ｓ１３ｒ〕ＶＣモード設定部１１は、受信したパス障害情報により、２４チャネル分すべてが正常であることを認識し、受信したＶＣモード（ＳＴＳ−１−２４ｖ）を装置の動作モードとして設定する。
〔Ｓ１４ｒ〕ＶＣモード設定部１１は、ＳＴＳ−１−２４ｖのＶＣモードを信号制御部１２へ通知する。そして、信号制御部１２ではＳＴＳ−１−２４ｖの伝送制御が行われる。このように、設定側装置のＶＣモードに被設定側が追従していくことで、ＶＣモードが自動的に設定されることになる。
図６〜図８はパス障害が発生した場合のＶＣモードを装置間で再設定する場合の動作を示すシーケンス図である。なお、図６のステップＳ２１ｓは、伝送装置１０をＶＣ設定側とした場合の動作であり、ステップＳ２２ｒ〜ステップＳ２５ｒは、伝送装置１０をＶＣ被設定側とした場合の動作シーケンスである。
また、図７のステップＳ２６ｓ〜ステップＳ２８ｓは、伝送装置１０をＶＣ設定側とした場合の動作シーケンスであり、図８のステップＳ２９ｓは、伝送装置１０をＶＣ設定側とした場合の動作であり、ステップＳ３０ｒ〜ステップＳ３２ｒは、伝送装置１０をＶＣ被設定側とした場合の動作シーケンスである。なお、以降の動作は、両装置間でＳＴＳ−１−２４ｖで運用中に、パス障害が発生して、その後にＶＣモードを変更して再設定するものとする。
〔Ｓ２１ｓ〕ＰＯＨ挿入部１４−１は、ＶＣモード（ＳＴＳ−１−２４ｖ）と、パス監視判定部１３−２からのパス障害情報（この時点では、まだ正常である旨の情報）とをＰＯＨのＨ４バイトに挿入し、パス監視設定部１３−１からの特定パターン（２４チャネルに“ＡＡ”が設定されている）をＰＯＨのＣ２バイトに挿入して、ＳＴＳ信号を対向へ送信する。
〔Ｓ２２ｒ〕ＰＯＨ抽出部１４−２は、ＳＴＳ信号を受信してＰＯＨを抽出し、ＶＣモード、特定パターン、パス障害情報を検出して、それぞれの送信先へ出力する。なお、伝送中にｃｈ１〜ｃｈ２４の中のｃｈ１のパスに障害が発生したとする。
〔Ｓ２３ｒ〕パス監視判定部１３−２は、特定パターンに対し、ｃｈ２〜ｃｈ２４が“ＡＡ”であり、ｃｈ１が“ＡＡ”以外のパターン（例えば、“Ａ９”となっているなど）であることを判断して、ｃｈ１のパス伝送が異常であることを認識する。
〔Ｓ２４ｒ〕パス監視判定部１３−２は、ｃｈ１に障害が発生している旨のパス障害情報を生成し、ＰＯＨ挿入部１４−１へ送信する。
〔Ｓ２５ｒ〕ＰＯＨ挿入部１４−１は、ＶＣモード（この時点ではまだＳＴＳ−１−２４ｖ）と、パス監視判定部１３−２からのパス障害情報（ｃｈ１に障害が発生している内容を含む）とをＰＯＨのＨ４バイトに挿入し、パス監視設定部１３−１からの特定パターン（２４チャネルに“ＡＡ”が設定されている）をＰＯＨのＣ２バイトに挿入して、ＳＴＳ信号を対向へ送信する。なお、特定パターン（送信）は、装置内で設定された値なので、“ＡＡ”のままである。
〔Ｓ２６ｓ〕図７に対し、ＰＯＨ抽出部１４−２は、ＳＴＳ信号を受信してＰＯＨを抽出し、ＶＣモード、特定パターン、パス障害情報を検出して、それぞれの送信先へ出力する。
〔Ｓ２７ｓ〕ＶＣモード設定部１１は、受信したパス障害情報により、ｃｈ１〜ｃｈ２４の中のｃｈ１が異常であることを認識した後、受信したＶＣモードをＳＴＳ−１−２４ｖからＳＴＳ−１−２３ｖを変更する。そして、ＳＴＳ−１−２３ｖを装置の動作モードとして設定する。
〔Ｓ２８ｓ〕ＶＣモード設定部１１は、ＳＴＳ−１−２３ｖのＶＣモードを信号制御部１２へ通知して、信号制御部１２でＳＴＳ−１−２３ｖの伝送制御が行われる。
〔Ｓ２９ｓ〕図８に対し、ＰＯＨ挿入部１４−１は、ＶＣモード（変更後のＳＴＳ−１−２３ｖ）と、パス監視判定部１３−２からのパス障害情報（ｃｈ１に障害が発生している内容を含む）とをＰＯＨのＨ４バイトに挿入し、パス監視設定部１３−１からの特定パターン（２４チャネルに“ＡＡ”が設定されている）をＰＯＨのＣ２バイトに挿入して、ＳＴＳ信号を対向へ送信する。
〔Ｓ３０ｒ〕ＰＯＨ抽出部１４−２は、ＳＴＳ信号を受信してＰＯＨを抽出し、ＶＣモード、特定パターン、パス障害情報を検出して、それぞれの送信先へ出力する。
〔Ｓ３１ｒ〕ＶＣモード設定部１１は、受信したパス障害情報により、ｃｈ１〜ｃｈ２４の中のｃｈ１が異常であることを認識する。また、受信したＶＣモード（ＳＴＳ−１−２３ｖ）を装置の動作モードとして設定する。
〔Ｓ３２ｒ〕ＶＣモード設定部１１は、ＳＴＳ−１−２３ｖのＶＣモードを信号制御部１２へ通知する。そして、信号制御部１２ではＳＴＳ−１−２３ｖの伝送制御が行われる。このように、パス障害が発生した場合でも、ＶＣモードを適切に変更し、設定側装置の変更後のＶＣモードに被設定側が追従していくことで、ＶＣモードが自動的に再設定されることになる。
図９はパス障害が発生している様子を示す図である。伝送システム１ｂは、ＳＯＮＥＴネットワーク２１内をリング状に接続された伝送ノード１００ａ〜１００ｄから構成される。
図は、伝送ノード１００ａと伝送ノード１００ｃ間でＳＴＳ−１−５ｖのＶＣ伝送を行っている場合に（ｃｈ１、ｃｈ２は伝送ノード１００ｂ経由、ｃｈ３〜ｃｈ５は伝送ノード１００ｄ経由）、伝送ノード１００ａと伝送ノード１００ｂ間の光ファイバケーブルが断して、ｃｈ１とｃｈ２のパス障害が発生している様子を示している。
このような場合、従来のＶＣ伝送では、ＶＣを構成する一部のパスが異常になった場合、通信不能となっていたが、本発明では、伝送ノード１００ａ、１００ｃ間でＶＣモードをＳＴＳ−１−３ｖに変更してｃｈ３〜ｃｈ５を用いて通信を継続する（伝送速度は遅くなる）。
次にＳＴＳ信号のフォーマットについて説明する。図１０はＳＴＳ−１のフォーマットを示す図である。ＳＴＳ−１フレームのフォーマットは、９０バイトが９行連なって構成され、図の左側の３バイト分がＯＨ（オーバヘッド）の領域として用意され、右側の８７バイト中のＰＯＨを除く領域が、ペイロードとして実際のユーザデータが挿入される。また、ＰＯＨとペイロードとを合わせて、シンクロナス・ペイロード・エンベロープ（ＳＰＥ：Ｓｙｎｃｈｒｏｎｏｕｓ  Ｐａｙｌｏａｄ  Ｅｎｖｅｌｏｐｅ）と呼ぶ。
図１１はＳＴＳ−３ｃのフォーマットを示す図である。ＳＴＳ−３ｃフレームは、９行２７０列の２次元のバイト配列で表現される。先頭の９行９（＝３×３）列は、ＯＨからなり、それに続く９行２６１（＝８７×３）列は、多重化情報を収容するペイロードである。ＳＴＳ−３ｃのペイロード部分には、図１０で説明したＳＴＳ−１のＯＨを除いた部分であるＳＰＥ（ＳＰＥ＃１、ＳＰＥ＃２、ＳＰＥ＃３）が多重化される。
図１２はＰＯＨの構成を示す図である。ＰＯＨはＪ１、Ｂ３、Ｃ２、Ｇ１、Ｆ２、Ｈ４、Ｚ３、Ｚ４、Ｚ５の各バイトから構成される。Ｃ２バイトは、本発明では特定パターンとして使用する。また、Ｈ４バイトは、本発明では、ＶＣモード（４ビット）とパス障害情報（４ビット）として使用する。
なお、他のバイトの内容は、例えば、テルコーディア勧告（ＧＲ−２５３−ＣＯＲＥ上の用途）では、Ｊ１はパストレース、Ｂ３はパス誤り監視、Ｇ１（ｂ１〜ｂ４）はパス対局誤り表示、Ｇ１（ｂ５）は送信パス状態の転送、Ｇ１（ｂ６〜ｂ８）は未使用、Ｆ２はパスユニットチャネル、Ｚ３とＺ４は予約、Ｚ５はタンデムコネクションとなっている。
次にＨ４バイトのコーディングについて説明する。図１３はＨ４バイトのコーディングを示す図である。Ｈ４バイトはマルチフレーム形式で使用して、１ｓｔマルチフレームナンバと２ｎｄマルチフレームナンバを設定する。
Ｈ４バイトのｂｉｔ５〜ｂｉｔ８を１ｓｔマルチフレームナンバとして用いる。また、１ｓｔマルチフレームナンバの０番目のｂｉｔ１〜ｂｉｔ４を２ｎｄマルチフレームナンバのＭＳＢ側の４ビットとして用い、１ｓｔマルチフレームナンバの１番目のｂｉｔ１〜ｂｉｔ４を２ｎｄマルチフレームナンバのＬＳＢ側の４ビットとして用いる。
このようなマルチフレームにすることにより、最大４０９６（＝１６×２５６）フレームの情報を表すことが可能になる。なお、“１６”は、１ｓｔマルチフレームナンバ０〜１５の１６であり、“２５６”は２ｎｄマルチフレームナンバの０〜２５５の２５６である。
また、Ｈ４バイトのｂｉｔ１〜ｂｉｔ４に対し、１ｓｔマルチフレームナンバの２番目〜７番目をＶＣモードの情報領域に使用し（ｃｈ１〜ｃｈ２４のＶＣモードを４チャネルずつ６つの領域で使用する）、１ｓｔマルチフレームナンバの８番目〜１３番目をパス障害情報の領域に使用する（ｃｈ１〜ｃｈ２４のパス障害情報を４チャネルずつ６つの領域で使用する）。さらに、１ｓｔマルチフレームナンバの１４番目は、シーケンスナンバのＭＳＢ側の４ビットとして用い、１ｓｔマルチフレームナンバの１５番目は、シーケンスナンバのＬＳＢ側の４ビットとして用いる。
次にＶＣモード及びパス障害情報の流れについてビット構成を示しながら説明する。図１４はパス伝送が正常に行われている場合のＶＣモード及びパス障害情報の流れを示す概念図である。
ＶＣモードの各ビットは各チャネルに対応している。また、“１”ならば対応チャネルは設定されており、“０”ならば対応チャネルは設定されていなことを示す。例えば、ＶＣモード（１−４）：０ｂ１１０１とは（０ｂはバイナリ表示であることを示す）、左側の“１”から右側の“１”に向かって、ｃｈ１〜ｃｈ４が対応しており、ｃｈ１、ｃｈ２、ｃｈ４が設定され、ｃｈ３は未設定であることを表す。
パス障害情報の各ビットは各チャネルに対応している。また、“０”ならば対応チャネルは正常であり、“１”ならば対応チャネルは異常であることを示す。例えば、パス障害情報（１−４）：０ｂ１０００とは、左側の“１”から右側の“１”に向かって、ｃｈ１〜ｃｈ４が対応しており、ｃｈ１が異常、ｃｈ２〜ｃｈ４は正常であることを表す。
図１４では、伝送装置１０ａ、１０ｂ間でＳＴＳ−１−２４ｖの伝送を行っている場合を示している。伝送装置１０ａは、図１３で上述したＨ４バイトの領域を使用して、２４チャネル分のＶＣモードのすべてのビットに“１”を立てて、ＶＣモードを伝送装置１０ｂに通知している。
また、パス障害が発生していないので、伝送装置１０ｂは、図１３で上述したＨ４バイトの領域を使用して、２４チャネル分のパス障害情報のすべてのビットに“０”を立てて、パス障害情報を伝送装置１０ａに通知している。
なお、特定パターンについては、伝送装置１０ａがＰＯＨのＣ２バイトを用いて、ｃｈ１〜ｃｈ２４のチャネルすべてに例えば、“ＡＡ”と設定して送信し、伝送装置１０ｂでは、２４チャネル分すべて“ＡＡ”と受信されていることになる。
図１５はパス伝送に障害が発生し、変更後のＶＣモードを送信している場合のＶＣモード及びパス障害情報の流れを示す概念図である。最初、伝送装置１０ａ、１０ｂ間でＳＴＳ−１−２４ｖの伝送を行っており、その後、ｃｈ１にパス障害が発生して、伝送装置１０ｂがその旨を伝送装置１０ａに通知し、伝送装置１０ａから伝送装置１０ｂに対してＶＣモードの変更が行われるものとする。
伝送装置１０ｂは、ｃｈ１にパス障害が発生していることを認識すると、図１３で上述したＨ４バイトの領域を使用して、ｃｈ１に該当するビットに“１”を立て、残りのｃｈ２〜ｃｈ２４に該当するビットに“０”を設定して、パス障害情報を伝送装置１０ａに通知する。
伝送装置１０ａは、受信したパス障害情報にもとづき、ｃｈ１にパス障害が発生していることを認識すると、ＶＣモードをＳＴＳ−１−２４ｖからＳＴＳ−１−２３ｖに変更する。そして、図１３で上述したＨ４バイトの領域を使用して、ｃｈ１に該当するビットに“０”を立て、残りのｃｈ２〜ｃｈ２４に該当するビットに“１”を設定して、ＶＣモード（ＳＴＳ−１−２３ｖ）の情報を伝送装置１０ｂに通知する。
なお、特定パターンについては、伝送装置１０ａがＰＯＨのＣ２バイトを用いて、ｃｈ１〜ｃｈ２４のチャネルすべてに例えば、“ＡＡ”と設定して送信し、伝送装置１０ｂでは、ｃｈ１が“ＡＡ”以外のパターン（例えば、“Ａ９”となっているなど）で受信し、他のｃｈ２〜ｃｈ２４のチャネルが“ＡＡ”と受信されていることになる。
以上説明したように、本発明によれば、従来ではＶＣ設定（変更も含め）を行う場合には、人手により各装置に設定していたが、１つの装置にＶＣを設定すれば、対向装置に自動的にＶＣモードが設定することができ、操作性及び利便性の向上を図ることが可能になる。
また、伝送路上に障害が発生して、ＶＣを構成する一部のパスが使用不能になった場合でも、障害をすみやかに検出し、障害パスを除くあらたなＶＣモードを自動的に再設定して通信を継続することができるので、通信の品質及び信頼性の向上を図ることが可能になる。
なお、上記では、ＳＴＳ−１を任意の数だけ束ねたＶＣを中心に説明したが、ＳＴＳ−１以外のＳＴＳ−３ｃやその他の単位のＳＴＳ信号でＶＣを構成してもよい。また、上記ではＳＯＮＥＴによるＶＣについて説明したが、ＳＤＨによるＶＣの場合でも本発明の機能は同様に適用できる。
以上説明したように、本発明の伝送システムは、ＶＣモードを送受信することで、ＶＣ送信装置とＶＣ受信装置間でＶＣモードを設定し、また、特定パターンにもとづき、パス導通の監視制御を行う構成とした。これにより、パス終端ポイントで、ＶＣモードを自動的に柔軟に設定でき、かつパス監視を行うことができるので、利便性及び通信品質の向上を図ることが可能になる。
上記については単に本発明の原理を示すものである。さらに、多数の変形、変更が当業者にとって可能であり、本発明は上記に示し、説明した正確な構成および応用例に限定されるものではなく、対応するすべての変形例および均等物は、添付の請求の範囲第およびその均等物による本発明の範囲とみなされる。
【図１】
2004030250.tif 000003
【図２】
2004030250.tif 000004
【図３】
2004030250.tif 000005
【図４】
2004030250.tif 000006
【図５】
2004030250.tif 000007
【図６】
2004030250.tif 000008
【図７】
2004030250.tif 000009
【図８】
2004030250.tif 000010
【図９】
2004030250.tif 000011
【図１０】
2004030250.tif 000012
【図１１】
2004030250.tif 000013
【図１２】
2004030250.tif 000014
【図１３】
2004030250.tif 000015
【図１４】
2004030250.tif 000016
【図１５】
2004030250.tif 000017
【手続補正書】
【提出日】平成16年11月17日(2004.11.17)
【手続補正１】
【補正対象書類名】特許請求の範囲
【補正対象項目名】全文
【補正方法】変更
【補正の内容】
【特許請求の範囲】
【請求項１】
帯域幅を仮想的な信号単位の集合として取り扱うＶＣを対象にした伝送制御を行う伝送システムにおいて、
上位設定またはパス障害情報にもとづいて、自装置のＶＣモードを設定する送信側ＶＣモード設定部と、ＶＣモードで自装置の信号を制御する送信側信号制御部と、パス導通を監視するための特定パターンを生成するパス監視設定部と、設定されたＶＣモード及び特定パターンを信号に挿入して対向へ送信し、かつ対向装置からパス障害情報を受信する第１の信号送受信部と、から構成されるＶＣ送信装置と、
受信信号からＶＣモードと特定パターンを検出し、生成されたパス障害情報を信号に挿入して対向へ送信する第２の信号送受信部と、検出されたＶＣモードにもとづいて、自装置のＶＣモードを設定する受信側ＶＣモード設定部と、ＶＣモードで自装置の信号を制御する受信側信号制御部と、受信された特定パターンにもとづいて、パス導通が正常か否かを判定し、判定結果を示すパス障害情報を生成するパス監視判定部と、から構成されるＶＣ受信装置と、
を有することを特徴とする伝送システム。
【請求項２】
帯域幅を仮想的な信号単位の集合として取り扱うＶＣを対象にした伝送制御を行う伝送装置において、
ＶＣモードを送信し、ＶＣモードの設定側として動作する場合は、上位設定またはパス障害情報にもとづいてＶＣモードを設定し、ＶＣモードを受信して、ＶＣモードの被設定側として動作する場合は、受信信号から検出されたＶＣモードにもとづいてＶＣモードを設定するＶＣモード設定部と、
前記ＶＣモード設定部で設定されたＶＣモードで信号を制御する信号制御部と、
パス導通を監視するための特定パターンを生成するパス監視設定部と、
ＶＣモード、特定パターン、パス障害情報を信号に挿入して対向へ送信する信号送信部と、
受信信号からＶＣモード、特定パターン、パス障害情報を検出する信号受信部と、
受信された特定パターンにもとづいて、パス導通が正常か否かを判定し、判定結果を示すパス障害情報を生成するパス監視判定部と、
を有することを特徴とする伝送装置。
【請求項３】
ＳＯＮＥＴ／ＳＤＨネットワークとＬＡＮとを結び、帯域幅を仮想的な信号単位の集合として取り扱うＶＣを対象にした伝送制御を行う伝送ノードにおいて、
ＶＣモードを送信し、ＶＣモードの設定側として動作する場合は、上位設定またはパス障害情報にもとづいてＶＣモードを設定し、ＶＣモードを受信して、ＶＣモードの被設定側として動作する場合は、受信信号から検出されたＶＣモードにもとづいてＶＣモードを設定するＶＣモード設定部と、
前記ＶＣモード設定部で設定されたＶＣモードで信号を制御する信号制御部と、
パス導通を監視するための特定パターンを生成するパス監視設定部と、
ＶＣモード、特定パターン、パス障害情報を信号に挿入して対向へ送信する信号送信部と、
受信信号からＶＣモード、特定パターン、パス障害情報を検出する信号受信部と、
受信された特定パターンにもとづいて、パス導通が正常か否かを判定し、判定結果を示すパス障害情報を生成するパス監視判定部と、
ＳＯＮＥＴ／ＳＤＨネットワーク側のスイッチング処理とのインタフェース制御を行うスイッチインタフェース部と、
加入者側のＬＡＮとのインタフェース制御を行うＬＡＮインタフェース部と、
から構成されるＬＡＮインタフェースユニットと、
ＳＯＮＥＴ／ＳＤＨ信号のスイッチング処理を行うスイッチ部と、
ＳＯＮＥＴ／ＳＤＨネットワークとのインタフェース制御を行うネットワークインタフェース部と、
を有することを特徴とする伝送ノード。
【請求項４】
帯域幅を仮想的な信号単位の集合として取り扱うＶＣを対象にした伝送制御を行うＬＡＮインタフェースユニットにおいて、
ＶＣモードを送信し、ＶＣモードの設定側として動作する場合は、上位設定またはパス障害情報にもとづいてＶＣモードを設定し、ＶＣモードを受信して、ＶＣモードの被設定側として動作する場合は、受信信号から検出されたＶＣモードにもとづいてＶＣモードを設定するＶＣモード設定部と、
前記ＶＣモード設定部で設定されたＶＣモードで信号を制御する信号制御部と、
パス導通を監視するための特定パターンを生成するパス監視設定部と、
ＶＣモード、特定パターン、パス障害情報を信号に挿入して対向へ送信する信号送信部と、
受信信号からＶＣモード、特定パターン、パス障害情報を検出する信号受信部と、
受信された特定パターンにもとづいて、パス導通が正常か否かを判定し、判定結果を示すパス障害情報を生成するパス監視判定部と、
ＳＯＮＥＴ／ＳＤＨネットワーク側のスイッチング処理とのインタフェース制御を行うスイッチインタフェース部と、
加入者側のＬＡＮとのインタフェース制御を行うＬＡＮインタフェース部と、
を有することを特徴とするＬＡＮインタフェースユニット。
【請求項５】
帯域幅を仮想的な信号単位の集合として取り扱うＶＣを対象にした伝送制御を行うＶＣ伝送方法において、
パス送信側が現在のＶＣモードをパス受信側へ送信し、
パス受信側は、受信したＶＣモードを設定し、
パス受信側が現在のＶＣモードのパスが正常に導通しているか否かを監視して監視結果をパス送信側に通知し、
パス送信側は、監視結果にもとづいて、障害が発生しているチャネルがあれば障害チャネルを除外したＶＣモードに変更してパス受信側に通知し、変更後のＶＣモードで通信を継続することを特徴とするＶＣ伝送方法。
【国際調査報告】
2004030250.tif 000018
2004030250.tif 000019
2004030250.tif 000020
2004030250.tif 000021